(57)【要約】【課題】  有害物質や臭いを吸着除去するために、室内や押し入れなどに敷設したり空気清浄器のフィルターなどとして用いる吸着シートについて、吸着シートの交換時期を安価なインジケーター３によって容易に知ることができるようにする。【解決手段】  周囲の酸素濃度が上昇することで変色する酸素検知剤５と、酸素を吸収除去する脱酸素剤６とを、酸素検知剤５を外部から目視可能な状態で収容体４内に封入したインジケーター３を用い、該インジケーター３の収容体４の酸素透過率を、吸着シートの使用寿命期間に応じて設定した大気暴露期間経過後に酸素検知剤５が変色する酸素透過率に調整しておき、吸着シートの使用時にこのインジケーター３を大気に曝し、該インジケーター３の酸素検知剤４の変色によって吸着シートの交換時期を表示させる。【選択図】      図２
2005172446.tif 000002
【特許請求の範囲】
【請求項１】
酸素検知剤と脱酸素剤とを、少なくとも酸素検知剤を外部から目視可能な状態で収容体内に封入したインジケーターを用い、該インジケーターの収容体の酸素透過率を、設定した大気暴露期間経過後に酸素検知剤が変色する酸素透過率に調整しておき、吸着シートの使用時にこのインジケーターを大気に曝し、該インジケーターの酸素検知剤の変色によって吸着シートの交換時期を表示させることを特徴とする吸着シート交換時期の表示方法。
【請求項２】
酸素検知剤と脱酸素剤とを、少なくとも酸素検知剤を外部から目視可能にな状態で収容体内に封入したインジケーターが付設された吸着シートであって、しかも該インジケーターの収容体の酸素透過率が、当該インジケーターを大気に曝したときに、設定した大気暴露期間経過後に酸素検知剤が変色する酸素透過率に調整されていることを特徴とするインジケーター付吸着シート。
【請求項３】
収容体が、少なくとも片面が透明な合成樹脂フィルムの袋であることを特徴とする請求項２に記載のインジケーター付吸着シート。
【請求項４】
吸着シートが、２枚の不織布間に活性炭を担持させたものであることを特徴とする請求項２又は３に記載のインジケーター付吸着シート。
【請求項５】
吸着シートの少なくとも片面に化学吸着剤が塗設されていることを特徴とする請求項４に記載のインジケーター付吸着シート。
【発明の詳細な説明】
【技術分野】
【０００１】
本発明は、例えば有害物質や臭いを吸着除去するために、室内や押し入れなどに敷設したり空気清浄器のフィルターなどとして用いる吸着シートの交換時期の表示方法及びこの表示を行うインジケーター付の吸着シートに関する。
【背景技術】
【０００２】
従来、食品の包装などに用いられる脱酸素剤の寿命を知ることができるようにするため、脱酸素剤を封入した合成樹脂フィルムの袋内に、酸素濃度の上昇によって変色する酸素検知剤を入れておき、脱酸素剤の能力が低下して袋内の酸素濃度が上昇すると、酸素検知剤が変色してこれを検知することができる酸素検知機能付き脱酸素剤包装体とすることが知られている（例えば、特許文献１を参照）。
【０００３】
【特許文献１】特開２００３−２５２３７４号
【発明の開示】
【発明が解決しようとする課題】
【０００４】
しかしながら、上記酸素検知機能付き脱酸素剤包装体は、脱酸素剤の寿命を知るためのものに過ぎない。
【０００５】
一方、例えば新築家屋におけるシックハウス症候群の予防や、生活環境の向上のために、有害物質や臭いを吸着除去する吸着シートを室内や押し入れに敷設したり、吸着シートをフィルターとした空気清浄器で室内の空気を清浄化することが行われている。
【０００６】
しかしながら、これらの用途に使用されている吸着シートの寿命を知る手立てがないので、吸着シートの交換は、おおよその使用期間を目安にして行われているに過ぎない。このため、吸着能力が大きく低下した後も使用を継続してしまって所期の目的を達成できなくなったり、十分に吸着能力を有する吸着シートを交換して無駄に廃棄してしまうことを生じている。
【０００７】
本発明は、上記従来の問題点に鑑みてなされたもので、吸着シートの交換時期を安価なインジケーターによって容易に知ることができるようにすることを目的とする。
【課題を解決するための手段】
【０００８】
上記目的のために、本発明の第１は、酸素検知剤と脱酸素剤とを、少なくとも酸素検知剤を外部から目視可能な状態で収容体内に封入したインジケーターを用い、該インジケーターの収容体の酸素透過率を、設定した大気暴露期間経過後に酸素検知剤が変色する酸素透過率に調整しておき、吸着シートの使用時にこのインジケーターを大気に曝し、該インジケーターの酸素検知剤の変色によって吸着シートの交換時期を表示させることを特徴とする吸着シート交換時期の表示方法を提供するものである。
【０００９】
また、本発明の第２は、酸素検知剤と脱酸素剤とを、少なくとも酸素検知剤を外部から目視可能にな状態で収容体内に封入したインジケーターが付設された吸着シートであって、しかも該インジケーターの収容体の酸素透過率が、当該インジケーターを大気に曝したときに、設定した大気暴露期間経過後に酸素検知剤が変色する酸素透過率に調整されていることを特徴とするインジケーター付吸着シートを提供するものである。
【００１０】
さらに上記本発明の第２は、収容体が、少なくとも片面が透明な合成樹脂フィルムの袋であること、
吸着シートが、２枚の不織布間に活性炭を担持させたものであること、
吸着シートの少なくとも片面に化学吸着剤が塗設されていること、
をその好ましい態様として含むものである。
【発明の効果】
【００１１】
本発明によれば、インジケーターを構成する収容体内に封入された脱酸素剤の寿命と吸着シートの寿命とをおおよそ合わせておくことで、脱酸素剤と共に収容体内に封入されている酸素検知剤の変色によって吸着シートの寿命を知ることができ、正しい時期での吸着シートの交換を促すことができる。また、インジケータとしては、現在食品包装に使用されている酸素検知機能付き脱酸素剤包装体を利用することができ、入手容易で安価であることから、コストアップを抑制することもできる。
【発明を実施するための最良の形態】
【００１２】
以下、図面に基づいて本発明を説明する。
【００１３】
図１及び図２は、本発明の一例を示すもので、図１は本発明に係るインジケーター付吸着シートの一例を示す斜視図、図２は図１に示されるインジケーターの拡大斜視図である。
【００１４】
図１において、１はロール状に巻かれた吸着シートで、長手方向（巻き取り方向）に適宜の間隔で、幅方向に横断して切断線２が設けられている。この吸着シート１は、ロールから必要な長さを引き出して、切断線２に沿って切り離し、例えば室内の床上に敷設したり、押し入れの中に敷き込んで使用するものとなっている。
【００１５】
吸着シート１としては、ガス状有害物質や臭気を吸着できるものであれば特に制限はないが、例えば２枚の不織布の間に活性炭を担持させたものを挙げることができる。具体的には、旭化成ケミカルズ株式会社製で商標「セミア」として市販されている、スパンボンド不織布間に活性炭を担持させたもの挙げることができる。また、吸着シート１は、吸着能力の点から、このような活性炭を吸着材としたものが好ましいが、ガス状有害物質を化学的に吸着除去する化学吸着剤、例えばシックハウス症候群で問題となっているホルムアルデヒドなどの有機溶剤の気化ガスを効果的に吸着除去できるヒドラシド化合物及びその混合物などを少なくとも片面に塗布したものが好ましい。
【００１６】
吸着シート１には、各切断線２で仕切られた領域毎にインジケーター３が付設されている。インジケーター３は、図２に拡大して示されるように、収容体４内に酸素検知剤５と脱酸素剤６を封入したもので、本例の収容体４は２枚の合成樹脂フィルム７，７の周縁をヒートシールした袋となっている。
【００１７】
インジケーター３は、外部から酸素検知剤５を目視できるような状態で酸素検知剤５と脱酸素剤６を収容体４内に封入したもので、本例のように、収容体４を合成樹脂フィルム７，７製の袋とする場合、少なくとも酸素検知剤５側を覆う合成樹脂フィルム７を透明なものとすることで、外部から酸素検知剤５を目視することができる。図２における斜線部は、表裏の合成樹脂フィルムの周縁部を接合して密封された袋状にするためのヒートシール部８である。また、本例のような袋を収容体４としたインジケーター３の場合、薄くすることができるので、床上や押し入れ内に吸着シート１を敷設する場合でも、邪魔になりにくい利点がある。
【００１８】
酸素検知剤５は、周囲の酸素濃度が上昇することで変色する組成物で、該組成物を含む成形体又は該組成物を含む塗膜などとして用いられる。例えばアントラキノン系、インジゴ系、チアジン系、硫化染料など、還元剤によって色変化を示す染料、アルカリ金属又はアルカリ土類金属の水酸化物や塩などのアルカリ性物質、及び還元糖類などの還元剤を含む組成物に、必要に応じて溶媒、還元剤によって変色しない染料又は顔料、水溶性高分子、バインダー樹脂などを添加した混合物を錠剤状に成形したものや、上記混合物を収容体４の内面や次に述べるシート状脱酸素剤剤の表面に塗布した塗膜を酸素検知剤５として用いることができる。具体的には、三菱瓦斯化学株式会社製で、商標「エージレスアイ」として市販されているものを用いることができる。
【００１９】
脱酸素剤６は、酸素を吸収除去する組成物で、該組成物を含む成形体、該組成物を担持したシート、該組成物を収容した袋詰め品などとして用いられる。例えば、鉄粉やビタミンＣを主成分とした組成物を、バインダーを混合して錠剤状に成形したものや、不織布や紙間に担持させたものや、ガス透過性を有する袋に収納したものを用いることができる。具体的には、三菱瓦斯化学株式会社製で、商標「エージレス」として市販されているものを用いることができる。
【００２０】
インジケーター３は、これを大気中に曝したときに、収容体４から徐々に透過する酸素を脱酸素剤６に吸収させ、所定期間収容体４内を低酸素濃度に保ち、これによって酸素検知剤５の色を当初の色に保持する一方、上記期間が経過して、脱酸素剤６の吸収能力が低下して収容体４内の酸素濃度が上昇すると、酸素検知剤５が変色するものである。従って、大気に曝してから酸素検知剤５が変色するまでの期間を、吸着シート１が吸着力を発揮できる期間に合わせておくと、酸素検知剤５の変色をインジケーター３外から確認することで、吸着シート１の交換時期を知ることができる。
【００２１】
吸着シート１の交換時期は、吸着シート１を使用する環境によっても相違する。汚染度の高い環境で使用すれば吸着シート１の寿命は短くなり、比較的きれいな環境での使用であれば吸着シート１の寿命は長くなる。インジケーター３の収容体４の酸素透過率を高くすれば、短い大気暴露期間で酸素検知剤５が変色するので、汚染度の高い環境での使用時の交換時期に合わせることができる。また、インジケーター３の収容体４の酸素透過率を低くすれば、酸素検知剤５が変色するまでの大気暴露期間を長くすることができるので、比較的きれいな環境下での使用時の交換時期に合わせることができる。
【００２２】
インジケーター３によって表示される交換時期は、おおよその目安となるもので、例えば酸素検知剤５が変色するまでの大気暴露期間が相違する複数種類のインジケーター３を用意し、使用環境に合わせてこのインジケーター３の種類を選択して使用すれば、比較的正確な交換時期を知ることができる。しかし、使用環境に合わせてインジケーター３を選択する煩雑性を避けるためには、酸素検知剤５が変色するまでの大気暴露期間を、平均的な汚染度の環境で使用した場合の吸着シート１の寿命に合わせて設定したインジケーター３とし、これを用いて交換時期の目安とすることが好ましい。酸素検知剤５が変色するまでの大気暴露期間は、収容体４の酸素透過率によって調整することができる。
【００２３】
収容体４の酸素透過率の調整は、例えば収容体４の構成材料の種類や厚みを選択することで行うことができる。本例のような合成樹脂フィルム７，７の袋の場合、袋を構成する合成樹脂フィルム７，７の種類や厚みを選択したり、この合成樹脂フィルム７，７として積層フィルムを用いる場合には、層構成や各層の厚みを選択することで行うことができる。また、酸素透過率を上げる場合、収容体にピンホール状の小孔を形成することもできる。
【００２４】
インジケーター３は、図１に示されるように、当初から吸着シート１に付設しておいてもよいが、吸着シート１の交換時期をできるだけ正確に表示することができるよう、インジケーター３にガスバリア性の包装を施しておき、吸着シート１の使用時に、この包装からインジケーター３を取り出して吸着シート１に付設できるようにしておくことが好ましい。吸着シート１へのインジケーター３の付設は、例えば、インジケーター３の裏面（収容体４の酸素検知剤５透視面とは反対面）に離型紙付の粘着剤を付設しておき、離型紙を剥がして粘着剤で吸着シート１に付着させることで行うことができる。
【００２５】
次に、図３及び図４によって本発明の他の例を説明する。
【００２６】
図３は本発明で用いるインジケーターの他の例を示す斜視図、図４は図３に示されるインジケーターを用いて吸着シート交換時期を表示させる方法の説明図である。
【００２７】
本例のインジケーター３は、収容体４が、底板部９と、この底板部９上に被せられたカバー部１０とから構成されている。カバー部１０は、透明な合成樹脂製の圧空又は真空成形品で、下縁部外方にフランジ部１１が張り出した伏せ容器状をなし、底板部９上に被せられて、フランジ部１１を介して底板部９に接合されている。また、底板部９とカバー部１０間に形成された空間内には、脱酸素剤６と酸素検知剤５が収容されている。
【００２８】
本例の場合、カバー部１０を構成する合成樹脂の種類や厚みを調整することで、酸素検知剤５が変色するまでの大気暴露期間を調整することができる。また、本例のような合成樹脂成形品を用いたインジケーター３の場合、外観を整えやすいので、目立つ場所に付設して使用する場合に外観を損なわないものとすることができる利点がある。
【００２９】
本発明による吸着シート１（図１参照）の交換時期の表示は、吸着シート１に直接インジケーター３を付設して行う他、吸着シート１の使用場所付近にインジケーター３を付設又は置いて行うこともできる。例えば、図４に示されるように、吸着シート１をフィルターとして用いた空気清浄器１１における吸着シート１の交換時期を知るためには、空気清浄器１１の適当な箇所にインジケーター３を付設しておくことで交換時期を表示させることができる。
【００３０】
図４に示される空気清浄器１１は、フィルター内蔵部１２内にロール状に丸めた吸着シート１（図１参照）を縦にして充填し、ファン内蔵部１３内のファンを作動させることにより、下方から吸い込んだ空気をフィルター内蔵部１２内に充填されたの吸着シート１を介して上部の開口部１４から放出するか、上部の開口部１４から吸い込んだ空気をフィルター内蔵部１２内に充填されたの吸着シート１を介して下方から放出するものとなっている。図示される例においては、フィルター内蔵部１２の側面にインジケーター３を付設しているが、空気の流通する開口部１４上やフィルター内蔵部１２内に設け、吸着シート１と同様の空気との接触状態として、表示時期をより正確にすることもできる。
【００３１】
なお、図２に示される、収容部４を袋で構成したインジケーター４を、上記のように、吸着シート１自体ではなく、吸着シート１の使用場所付近に付設又は置いて使用することもでき、図３に示される、収容部４を合成樹脂成形品を用いて構成したインジケーター４を、図１に示されるように、吸着シート１に付設して使用することもできる。
【図面の簡単な説明】
【００３２】
【図１】本発明に係るインジケーター付吸着シートの一例を示す斜視図である。
【図２】図１に示されるインジケーターの拡大斜視図である。
【図３】本発明で用いるインジケーターの他の例を示す斜視図である。
【図４】図３に示されるインジケーターを用いて吸着シート交換時期を表示させる方法の説明図である。
【符号の説明】
【００３３】
１    吸着シート
２    切断線
３    インジケーター
４    収容体
５    酸素検知剤
６    脱酸素剤
７    合成樹脂フィルム
８    ヒートシール部
９    底板部
１０  カバー部
１１  空気清浄器
１２  フィルター内蔵部
１３  ファン内蔵部
１４  開口部
【図１】
2005172446.tif 000003
【図２】
2005172446.tif 000004
【図３】
2005172446.tif 000005
【図４】
2005172446.tif 000006